(57)【要約】【課題】複数の表示装置を１つの駆動回路で共用しかつ低消費電力に駆動する。【解決手段】メイン液晶１０１とサブ液晶１０２に対して１つのデータ線駆動回路１０３及び走査線駆動回路１０４を共用し、メイン液晶１０１とサブ液晶１０２のデータ線１１３，１１４とデータ線駆動回路１０３との間、走査線１１１，１１２と走査線駆動回路１０４との間にスイッチ手段を備え、携帯型電子機器の使用状態に応じて該スイッチ手段を制御することにより、低消費電力かつ安価な表示装置を提供することができる。【選択図】　図１
2004126257.tif 000002
【特許請求の範囲】
【請求項１】
第１使用状態と第２使用状態とに切替えて使用される携帯型電子機器において、
前記使用状態に対応して用いられる少なくとも第１表示装置及び第２表示装置と、
前記使用状態に対応して前記表示装置を切替えるように制御される第１スイッチ手段及び第２スイッチ手段と、
前記第１表示装置のデータ線と前記第２表示装置のデータ線との駆動に共用される第１駆動手段と、
前記第１表示装置の走査線と前記第２表示装置の走査線との駆動に共用される第２駆動手段と、
前記使用状態に対応して前記表示装置を切替えるように制御される第３スイッチ手段及び第４スイッチ手段とを備え、
前記第１スイッチ手段の一端を前記第１表示装置のデータ線に接続し、前記第２スイッチ手段の一端を前記第２表示装置のデータ線に接続し、前記第１スイッチ手段の他端と前記第２スイッチ手段の他端とを短絡して前記第１駆動手段に接続し、
かつ、前記第３スイッチ手段の一端を前記第１表示装置の走査線に接続し、前記第４スイッチ手段の一端を前記第２表示装置の走査線に接続し、前記第３スイッチ手段の他端と前記第４スイッチ手段の他端とを短絡して前記第２駆動手段に接続したことを特徴とする携帯型電子機器の表示装置。
【請求項２】
第１使用状態と第２使用状態とに切替えて使用される携帯型電子機器において、
前記使用状態に対応して用いられる少なくとも第１表示装置及び第２表示装置と、
前記使用状態に対応して前記表示装置を切替えるように制御される第１スイッチ手段及び第２スイッチ手段と、
前記第１表示装置のデータ線と前記第２表示装置のデータ線との駆動に共用される第１駆動手段と、
前記使用状態に対応して選択的に切替えられ、前記第１表示装置の走査線と前記第２表示装置の走査線とを独立に駆動する第３駆動手段及び第４駆動手段と、前記第１スイッチ手段の一端を前記第１表示装置のデータ線に接続し、前記第２スイッチ手段の一端を前記第２表示装置のデータ線に接続し、前記第１スイッチ手段の他端と前記第２スイッチ手段の他端とを短絡して前記第１駆動手段に接続したことを特徴とする携帯型電子機器の表示装置。
【請求項３】
第１使用状態と第２使用状態とに切替えて使用される携帯型電子機器において、
前記使用状態に対応して用いられる少なくとも第１表示装置及び第２表示装置と、
前記使用状態に対応して前記表示装置を切替えるように制御される第３スイッチ手段及び第４スイッチ手段と、
前記第１表示装置の走査線と前記第２表示装置の走査線との駆動に共用される第２駆動手段と、
前記使用状態に対応して選択的に切替えられ、前記第１表示装置のデータ線と前記第２表示装置のデータとを独立に駆動する第５駆動手段及び第６駆動手段と、
前記第３スイッチ手段の一端を前記第１表示装置の走査線に接続し、前記第４スイッチ手段の一端を前記第２表示装置の走査線に接続し、前記第３スイッチ手段の他端と前記第４スイッチ手段の他端とを短絡して前記第２駆動手段に接続したことを特徴とする携帯型電子機器の表示装置。
【請求項４】
請求項１又は２に記載の携帯型電子機器の表示装置において、
第１表示装置のフレームメモリと、第２表示装置のフレームメモリと、前記フレームメモリの画像データを保持するラインメモリ手段と、
前記使用状態に対応して前記表示装置を切替えるように制御される第５スイッチ手段及び第６スイッチ手段とを備え、
前記第５スイッチ手段の一端を前記第１表示装置のフレームメモリに接続し、前記第６スイッチ手段の一端を前記第２表示装置のフレームメモリに接続し、前記第５スイッチ手段の他端と前記第６スイッチ手段の他端とを前記ラインメモリ手段に接続したことを特徴とする携帯型電子機器の表示装置。
【請求項５】
請求項１，２，３又は４のいずれか一項に記載の携帯型電子機器の表示装置において、
画素数の異なる前記表示装置のフレーム周波数を所定値にするための複数の分周回路を備えたことを特徴とする携帯型電子機器の表示装置。
【請求項６】
請求項５に記載の携帯型電子機器の表示装置において、
前記分周回路は、第１表示装置及び第２表示装置の垂直周期及び水平周期をフレーム周波数に対応して分周することを特徴とする携帯型電子機器の表示装置。
【請求項７】
請求項１，２，３，４，５又は６のいずれか一項に記載の携帯型電子機器の表示装置において、
非表示の表示装置の走査線をオフレベルに固定する回路を備えたことを特徴とする携帯型電子機器の表示装置。
【請求項８】
請求項１，２，３，４，５，６又は７のいずれか一項に記載の携帯型電子機器の表示装置において、
第１表示装置と第２表示装置との画素数が異なり、画素数の少ない表示装置を表示駆動する際に前記駆動手段の一部を非活性状態にすることを特徴とする携帯型電子機器の表示装置。
【請求項９】
請求項１，２、３，４，５，６，７又は８のいずれか一項に記載の携帯型電子機器の表示装置において、
前記第１表示装置の階調電圧と前記第２表示装置の階調電圧を異なるようにすることを特徴とする携帯型電子機器の表示装置。
【発明の詳細な説明】
【０００１】
【発明の属する技術分野】
本発明は、携帯型電子機器に関し、特に液晶表示装置を複数個備えた携帯型電子機器に関する。
【０００２】
【従来の技術】
液晶表示装置を複数個備えた携帯型電子機器として、例えば折畳み型の携帯電話機がある。この種の携帯電話機の構造を本発明の説明に用いる図１３を用いて説明する。この種の携帯電話機は図１３（ａ）及び図１３（ｂ）に示すように、電話機本体１３０１，１３０２をほぼ中央部分の蝶番部１３０３で２つに折畳む（図１３（ａ））或いは押し広げる（図１３（ｂ））構造になっており、操作時（又は通話時）と待機時とに分けて複数個の液晶表示装置を使分けているのが一般的である。１３０４は送受信用のアンテナ、１３０５はスピーカである。そして、図１３（ｂ）に示す通話時には、２つ折りの電話機本体１３０１，１３０２を押し開き、電話機の表面に現れた第１液晶表示装置（以下、メイン液晶という）１０１（図１３（ｃ））を使って操作を行い、図１３（ａ）に示す待機時には、電話機本体１３０１，１３０２を中央部分で２つに折畳んで電話機本体１３０１の背面側の第２液晶表示装置（以下、サブ液晶（又は背面液晶）という）１０２（図１３（ｄ））を使って着信に備えるようになっている。そのため、一方のメイン液晶１０１は、写真画像や文字情報など様々な画像を表示するのに対応しており、他方のサブ液晶１０２は、アンテナマーク，時計，電池残量マークなどの文字情報のみを表示している。
【０００３】
ところで、最近の携帯電話機では、カメラ機能を搭載した機種が開発され、この種のカメラ機能を搭載した携帯電話機では、サブ液晶にカメラのファインダー機能を付加させているため、サブ液晶が写真画像の表示に対応することが要求されるようになってきている。
【０００４】
この種のカメラ機能を搭載した携帯電話機におけるメイン液晶とサブ液晶との用いられる方が従来の折畳み型携帯電話機のものとは異なっている。すなわち、この種のカメラ機能を搭載した携帯電話機では、図１３（ｄ）に示すようにカメラ１３０６がサブ液晶１０２の搭載面である電話機本体１３０１の背面側に設置されているため、被写体が携帯電話機の使用者である撮影者以外の場合、電話機本体１３０１，１３０２を押し開き、電話機本体１３０１の内側に位置するメイン液晶１０１をカメラ１３０６のファインダとして用い、そのカメラ１３０６を撮影者以外の被写体に向けて撮像している。また、携帯電話機の使用者である撮影者自身が被写体５となる場合、電話機本体１３０１，１３０２を２つに折畳み、電話機本体１３０１の背面側に位置するサブ液晶１０２をファインダとして用い、そのカメラ１３０６を撮影者に向けて撮像している。１３０７は撮像などの照明用としてのライトである。
【０００５】
現在、この種のカメラ機能を搭載した携帯電話機の汎用性等を考慮して、メイン液晶１０１には、ＴＦＴ液晶などの高画質な表示装置を用い、サブ液晶１０２には、ＴＦＴ液晶と比べて安価なＳＴＮ液晶を使用しているのが一般的である。
メイン液晶に用いるＴＦＴ液晶と、サブ液晶に用いるＳＴＮ液晶とは、駆動方法や駆動電圧が異なる。そのため、図２０に示すように、一方のＳＴＮ液晶からなるサブ液晶１０２には、専用の電源回路２１０３とロウ側駆動回路２１０４とカラム側駆動回路２１０５とを設け、他方のＴＦＴ液晶からなるメイン液晶１０１には、専用の電源回路２１０６と走査線駆動回路２１０７とデータ線駆動回路２１０８とを設け、ＣＰＵ２１０１からの指令を表示制御回路２１０２を介して、メイン液晶１０１とサブ液晶１０２とに対応した専用の回路２１０３，２１０４，２２１０５と、２１０６，２１０７，２１０８とにそれぞれ選択切替えて伝送し、それぞれ別々に駆動している。
【０００６】
また、下記の特許文献１では図１９に示すように、ＥＬ（エレクトロルミネッセンス）表示装置２００４を用いており、この種のＥＬ表示装置の表示領域を上下に２つの表示領域に分割（すなわち、ＥＬ表示装置２００４のデータ線を上下に２分割）し、それぞれの上下の表示領域にデータ側駆動回路２００１，２００２をそれぞれ設け、１つの走査側駆動回路２００３の出力を上下表示領域の２つの走査側駆動回路２００１，２００２に共用し、上部領域用データ側駆動回路２００１と下部領域用データ側駆動回路２００２とを同一のタイミングで駆動する例が開示されている。この特許文献１では、薄膜ＥＬ素子などの単純マトリクス型を用いており、デュティ駆動するので画素数が増加すると、コントラストが低下するため表示領域を複数に分割している。
【特許文献１】
特開平６−２７６４００号公報
【０００７】
【発明が解決しようとする課題】
上述した携帯電話機では、ますます高機能化すると、サブ液晶にも高い表示品質が要求され、画素数や色数が増加してくる。その場合、サブ液晶もＴＦＴ液晶で構成し、高精細化及び多色化の要求に対応する必要があるため、ＴＦＴ液晶に対応するためのデータ線駆動回路及び走査線駆動回路の回路素子数が増加し高価な表示装置になる。
【０００８】
上述した問題点である回路素子数の増加を解決するために、特許文献１の技術を携帯電話機のＴＦＴ液晶からなるメイン液晶とサブ液晶との駆動に適用することが考えられる。すなわち、特許文献１の技術は、ＥＬ表示装置の上下に分割したそれぞれの表示領域の走査線同士をショートし、１つの走査側駆動回路を共用しているため、ＴＦＴ液晶からなる２つのメイン液晶とサブ液晶のデータ線をそれぞれショートし、１つのデータ線駆動回路で駆動することが可能である。
【０００９】
ところで、携帯型電子機器、特に携帯電話機では、低消費電力化が要求される。しかしながら、特許文献１の技術を応用した、ＴＦＴ液晶からなるメイン液晶とサブ液晶とのデータ線をそれぞれショートする方式では、メイン液晶とサブ液晶との寄生容量の充放電電流が同時に発生するため、消費電力が大きくなるという問題が生じる。また、メイン液晶とサブ液晶との２つの表示装置を駆動する場合は、１つのメイン液晶又はサブ液晶の一方のみを駆動する場合に比べて容量負荷が大きくなるため、駆動回路を構成する出力トランジスタのサイズを大きくする必要があり、高コスト化を招来してしてしまうこととなる。
【００１０】
したがって、例えば携帯電子機器の１種である携帯電話機のＴＦＴ液晶からなるメイン液晶とサブ液晶を駆動するための回路構成を新たに開発する必要がある。
【００１１】
【発明の目的】
本発明の目的は、複数の液晶表示装置にデータ線駆動回路と走査線駆動回路とを共用する場合において、駆動回路系の消費電力を増加することなく表示駆動を可能とした携帯型電子機器の表示装置を提供することにある。
【００１２】
【課題を解決するための手段】
上記課題を解決するために、請求項１に記載の発明は、第１使用状態と第２使用状態とに切替えて使用される携帯型電子機器において、前記使用状態に対応して用いられる少なくとも第１表示装置及び第２表示装置と、前記使用状態に対応して前記表示装置を切替えるように制御される第１スイッチ手段及び第２スイッチ手段と、前記第１表示装置のデータ線と前記第２表示装置のデータ線との駆動に共用される第１駆動手段と、前記第１表示装置の走査線と前記第２表示装置の走査線との駆動に共用される第２駆動手段と、前記使用状態に対応して前記表示装置を切替えるように制御される第３スイッチ手段及び第４スイッチ手段とを備え、前記第１スイッチ手段の一端を前記第１表示装置のデータ線に接続し、前記第２スイッチ手段の一端を前記第２表示装置のデータ線に接続し、前記第１スイッチ手段の他端と前記第２スイッチ手段の他端とを短絡して前記第１駆動手段に接続し、かつ、前記第３スイッチ手段の一端を前記第１表示装置の走査線に接続し、前記第４スイッチ手段の一端を前記第２表示装置の走査線に接続し、前記第３スイッチ手段の他端と前記第４スイッチ手段の他端とを短絡して前記第２駆動手段に接続するという構成を採っている。
【００１３】
請求項１に記載の発明によれば、データ線駆動手段と複数の液晶表示装置のデータ線または走査線駆動手段と複数の液晶表示装置の走査線との間にスイッチ手段を備え、携帯型電子機器の使用状態に応じてスイッチ手段を制御することにより、複数の液晶表示装置にデータ線駆動手段と走査線駆動手段とを共用する。しかも、スイッチ手段同士をショートさせることにより、液晶のデータ線同士をショートさせる方式を排除する。
【００１４】
したがって、駆動回路系の回路素子の個数を減少させることができ、駆動回路系の消費電力の省力化を実現することができる。さらに、駆動手段に接続される負荷容量を低減し、容量負荷による充放電電流の発生を低減することにより、携帯型電子機器の表示装置の低消費電力化が実現できる。
【００１５】
具体例として、液晶データ線の１画素の寄生容量が０．１ｐＦ、液晶駆動電圧を５Ｖ、フレーム周波数を６０Ｈｚとすれば、サブ液晶だけ駆動する場合のデータ線の充放電による最大消費電力はＰ＝ｃ×ｖ×ｖ×ｆ＝（６４×３×９６×０．１ｐＦ）×５Ｖ×５Ｖ×（６０Ｈｚ×９６÷２）＝０．１３ｍＷであるが、メイン液晶のデータ線とサブ液晶のデータ線を短絡し駆動回路を共用する方式では、メイン液晶のデータ配線の充放電による最大消費電力Ｐ＝ｃ×ｖ×ｖ×ｆ＝（１４４×３×１７６×０．１ｐＦ）×５Ｖ×５Ｖ×（６０Ｈｚ×９６÷２）＝０．５５ｍＷを余分に消費する。
【００１６】
また、複数の表示装置を駆動する駆動手段を共用することにより、回路素子数の低減並びに外付け部品数の低減を実現して、安価な表示装置を提供することができる。共用しない場合に比べ、低減できる回路素子は、サブ液晶を高精細化しメイン液晶の画素数と同じとすれば、駆動系の回路素子数は約半分で済む。さらに、部品数を低減することにより、実装面積が小さく、かつ重量を軽くすることができるため、携帯型電子機器を小型化、軽量化できる。このように、低消費電力化、小型化、軽量化、低コストを同時に実現できるという効果がある。
【００１７】
請求項１に記載の発明では、表示装置のデータ線及び走査線を駆動する双方の駆動手段を共用したが、これに限定されるものではなく、該表示装置のデータ線と走査線との少なくとも一方を駆動する駆動手段を共用するようにすればよい。
【００１８】
また、請求項４に記載の発明によれば、第１表示装置のフレームメモリと、第２表示装置のフレームメモリと、前記フレームメモリの画像データを保持するラインメモリ手段と、前記使用状態に対応して前記表示装置を切替えるように制御される第５スイッチ手段及び第６スイッチ手段とを備え、前記第５スイッチ手段の一端を前記第１表示装置のフレームメモリに接続し、前記第６スイッチ手段の一端を前記第２表示装置のフレームメモリに接続し、前記第５スイッチ手段の他端と前記第６スイッチ手段の他端とを前記ラインメモリ手段に接続するという構成を採っている。
【００１９】
この構成では、ＣＰＵ側に無理な負担を掛けることがないが、ＣＰＵ側の処理能力に余裕があれば、これらのフレームメモリをＣＰＵ側に備えるようにしてもよい。この場合には、フレームメモリが不要となるため、回路構成及び回路素子を軽減することができる。
【００２０】
請求項５に記載の発明は、画素数の異なる前記表示装置のフレーム周波数を所定値にするための複数の分周回路を備えるという構成を採っている。前記分周回路は、第１表示装置及び第２表示装置の垂直周期及び水平周期をフレーム周波数に対応して分周する回路構成とすることが望ましい。
【００２１】
したがって、請求項５に記載の発明によれば、２つの表示装置の画素数が異なる場合にもそれぞれの表示装置に最適な周波数で低消費電力で表示駆動することができる。
【００２２】
請求項６に記載の発明は、非表示の表示装置の走査線をオフレベルに固定する回路を備えるという構成を採り、非表示の表示装置の走査線をオフレベルに固定する。
【００２３】
液晶表示装置は、液晶が容量機能を有しているため残像が残る場合があるが、本発明では非表示装置の走査線をオフレベルに固定するため、表示装置の切替え瞬間時での残像の発生を抑制することができる。
【００２４】
請求項８に記載の発明は、第１表示装置と第２表示装置との画素数が異なり、画素数の少ない表示装置を表示駆動する際にデータ線駆動回路の一部を非活性状態にしている。したがって、無駄な電力を消費することがなく、携帯型電子機器に適用して最適なものである。
【００２５】
請求項９に記載の発明は、第１表示装置と第２表示装置との材料や構造が異なり、第１表示装置の階調電圧と第２表示装置の階調電圧とを異なるようにしている。
【００２６】
【発明の実施の形態】
次に、本発明について図面を参照して説明する。
【００２７】
【第１の実施形態】
図１は、本発明の第１の実施形態を示すブロック図である。図１に示す本発明に係る第１の実施形態は、本発明を携帯電子機器の１種である携帯電話機に応用した例であって、携帯電話機のメイン液晶１０１とサブ液晶１０２とをそれぞれＴＦＴ液晶から構成し、これらのメイン液晶１０１とサブ液晶１０２とに１つのデータ線駆動回路１０３及び走査線駆動回路１０４を共用したものである。
【００２８】
以下、メイン液晶及びサブ液晶はどちらもＴＦＴ液晶の場合を説明するが、使用する表示装置はＳＴＮ液晶や有機ＥＬでもよく、複数ある表示装置が同じ駆動方式，電圧範囲であれば共用できる。
【００２９】
図１に示す第１の実施形態に係る表示装置が備えられる携帯電話機の一例を図１３を用いて説明する。図１３に示す携帯電話機は、いわゆる折畳み型携帯電話機であり、この種の携帯電話機は、図１３（ａ）及び図１３（ｂ）に示すように電話機本体１３０１，１３０２をほぼ中央部分の蝶番部１３０３で２つに折畳む（図１３（ａ））、或いは押し広げる（図１３（ｂ））構造になっており、操作時（または通話時）と待機時とに分けて複数個の液晶表示装置を使分けている。
１３０４は送受信用のアンテナ、１３０５はスピーカである。
【００３０】
そして、図１３（ｂ）に示す通話時には、２つ折りの電話機本体１３０１，１３０２を押し開き、電話機の表面に現れた第１液晶表示装置であるメイン液晶１０１（図１３（ｃ））を使って通話を行い、図１３（ａ）に示す待機時には、電話機本体１３０１，１３０２を中央部分で２つに折畳んで電話機本体１３０１の背面側の第２液晶表示装置であるサブ液晶１０２（図１３（ｄ））を使って着信に備えるようになっている。
【００３１】
さらに図１３に示す携帯電話機はカメラ機能を搭載した携帯電話機であり、この種のカメラ機能を搭載した携帯電話機では、図１３（ｄ）に示すようにカメラ１３０６がサブ液晶１０２の搭載面である電話機本体１３０１の背面側に設置されているため、被写体が携帯電話機の使用者である撮影者以外の場合、電話機本体１３０１，１３０２を押し開き、電話機本体１３０１の内側に位置するメイン液晶１０１をカメラ１３０６のファインダとして用い、そのカメラ１３０６を撮影者以外の被写体に向けて撮像している。また、携帯電話機の使用者である撮影者自身が被写体になる場合、電話機本体１３０１，１３０２を２つに折畳み、電話機本体１３０２の背面側に位置するサブ液晶１０２をファインダとして用い、そのカメラ１３０６を撮影者に向けて撮像している。１３０７は撮像などの照明用としてのライトである。このように、操作時（または通話時）と待機時，写真を撮る被写体が何であるかなどの使用状態によって、使用する表示装置が違ってくる。
【００３２】
図１に示すメイン液晶１０１として１４４×１７６個の画素数、サブ液晶１０２として６４×９６個の画素数のものを用いたが、それらの画素数は、これに限定されるものではない。ここで、図１３（ｂ）に示す携帯電話機を押し広げた状態で使用するメイン液晶１０１の画素数並びにサイズは、図１３（ａ）に示す携帯電話機を折畳んで使用するサブ液晶１０２のものと比較して大きく設定してある。また、サブ液晶１０２は複数個設けてもよい。
【００３３】
図１において、ＣＰＵ１０６は、携帯電話機に内蔵されるマイクロコンピュータである。表示制御回路１０５は、ＣＰＵ１０６との間にデータ１１０の授受を行って、後述するデータ線駆動回路１０３及び走査線駆動回路１０４並びに表示装置用の電源回路１０７を指令信号１１５，１１６，１１７に基いて制御する。
表示装置用の電源回路１０７は、２つのメイン液晶１０１とサブ液晶１０２とに共用しており、データ線駆動回路１０３，走査線駆動回路１０４，メイン液晶１０１の共通電極１１９，サブ液晶１０２の共通電極１１８に電源を供給する。データ線駆動回路１０３は、２つのメイン液晶１０１とサブ液晶１０２とに共用されてメイン液晶１０１のデータ線とサブ液晶のデータ線との駆動に共用される第１駆動手段を構成し、メイン液晶１０１のデータ線１１３とサブ液晶１０２のデータ線１１４をそれぞれ駆動する。また、走査線駆動回路１０４は、２つのメイン液晶１０１とサブ液晶１０２とに共用されてメイン液晶１０１の走査線とサブ液晶１０２の走査線との駆動に共用される第２駆動手段を構成し、メイン液晶１０１の走査線１１１とサブ液晶１０２の走査線１１２をそれぞれ駆動する。
【００３４】
次に、データ線駆動回路１０３の詳細図を図３に示し、その回路構成について説明する。図３に示すようにデータ線駆動回路１０３は、フレームメモリ３０１の第１液晶フレームメモリ３１１と第２液晶フレームメモリ３１２，第１選択回路３０２，第１データラッチ回路３０３，第２データラッチ回路３０４，レベルシフト回路３０５，デコーダ回路３０６，階調電圧選択回路３０７，階調電圧発生回路３１０，出力回路３０８及び第２選択回路３０９を備えている。ここで、図３に示すデータ線駆動回路１０３は、フレームメモリを備えているものであり、フレームメモリを備えていないものと区別するために符号１０３ａを付す。
【００３５】
第１選択回路３０２は、第１液晶フレームメモリ３１１の端子に対応する個数のスイッチＳＷ１Ａと、第２液晶フレームメモリ３１２の端子に対応する個数のスイッチＳＷ１Ｂとをそれぞれ備え、第１液晶フレームメモリ３１１の端子と該端子に対応する第１データラッチ回路３０３の端子とをスイッチＳＷ１Ａを介してそれぞれ接続し、第２液晶フレームメモリ３１２の端子と該端子に対応する第１データラッチ回路３０３の端子とをスイッチＳＷ１Ｂを介してそれぞれ接続する。
【００３６】
また、第２選択回路３０９は、メイン液晶１０１の複数のデータ線１１３に対応する個数の第１スイッチＳＷ２Ａと、サブ液晶１０２の複数のデータ線１１４に対応する個数の第２スイッチＳＷ２Ｂをそれぞれ備え、メイン液晶１０１の各データ線１１３に接続する複数の接続端子ＤＡｎ（ｎ：１，２，３・・・，４３２）と該接続端子に対応する出力回路３０８の端子とをスイッチＳＷ２Ａを介してそれぞれ接続し、サブ液晶１０２の各データ線１１４に接続する複数の接続端子ＤＢｎ（ｎ：１，２，３・・・，１９２）と該接続端子に対応する出力回路３０８の端子とをスイッチＳＷ２Ｂを介してそれぞれ接続する。ここに、第２選択回路３０９の第１スイッチＳＷ２Ａと第２スイッチＳＷ２Ｂとは、メイン液晶１０１とサブ液晶１０２を切替えるように制御される第１スイッチ手段と第２スイッチ手段を構成する。
【００３７】
また、階調電圧発生回路３１０は、複数の抵抗を直列に接続し、その直列接続した各抵抗の接続点で所定の電圧が得られる回路構成になっている。階調電圧選択回路３０７は、画像データに応じて所定の階調電圧を選択する回路であり、複数のアナログスイッチの組合せから構成される。この構成による階調電圧選択回路３０７は、画像データが６ビット（６４階調）の場合、そのアナログスイッチが各出力ごとに６４個用いられている。メイン液晶とサブ液晶との液晶材料や構造が異なるため、階調電圧を変えてもよい。その場合、階調電圧発生回路３１０の直列に接続する抵抗の抵抗値を変えるなどの方法がある。
【００３８】
また、出力回路３０８は図７に示すように、定電流制御回路７０１と、メイン液晶１０１の一部のデータ線ＤＡｎ（ｎ：１，２，３・・・，１９２）及びサブ液晶１０２の複数のデータ線ＤＢｎ（ｎ：１，２，３・・・，１９２）をそれぞれ駆動する出力回路７０２ａと、メイン液晶１０１の残りのデータ線ＤＡｎ（ｎ：１９３・・・，４３２）のみを駆動する出力回路７０２ｂとを備えている。３０９は第２選択回路である。
【００３９】
各出力回路は７０２ａ，７０２ｂは図８に示すように、ボルテージフォロア方の増幅器８０１を備えている。前記増幅回路の入力側ＩＮと出力側ＯＵＴとの間はスイッチＯＵＴ−ＳＷを介して接続され、また前記増幅回路の出力側にはデイスチャージ用回路８０１ａが設けられ、端子Ｇには定電流制御回路７０１からの電圧が入力され、デイスチャージ用回路８０１ａのゲートには、表示制御回路１０５から出力回路３０８に出力されるＷＨ信号又はデイスチャージ制御信号が入力される。そして、サブ液晶１０２の駆動時（ＭＣ信号＝Ｈ）には、メイン液晶１０１の残りのデータ線ＤＡｎ（ｎ：１９３・・・，４３２）のみを駆動する出力回路７０２ｂの増幅器（８０１）の定電流源を０にして非活性状態とすることにより、低消費電力化する。増幅器８０１は、短い時間で目標電圧に達するための機能なので、サブ液晶１０２の画素数が小さく１水平期間が長い場合は、スイッチＡＭＰ−ＳＷを常時オフしハイインピーダンスにしスイッチＯＵＴ−ＳＷをオンして増幅器８０１を使用しないでサブ液晶１０２のデータ線を駆動すれば、さらに低消費電力化を実現する。
【００４０】
データ線駆動回路１０３は、図３のようにフレームメモリ３００（第１液晶フレームメモリ３１１及び第２液晶フレームメモリ３１２）を内蔵している場合と、図５のようにフレームメモリを内蔵していない場合があるので、フレームメモリを内蔵した図３のデータ線駆動回路１０３に符号１０３ａを付し、フレームメモリを内蔵していない図５のデータ線駆動回路に符号１０３ｂを付し、かつそのデータ線駆動回路１０３ａ，１０３ｂに対応する表示制御回路１０５に符号１０５ａ，１０５ｂを付して区別する。
【００４１】
先ず図３に示すフレームメモリ３００を内蔵したデータ線駆動回路１０３ａの動作について説明する。図３において、表示制御回路１０５ａからデータ線駆動回路１０３ａの第１選択回路３０２，第２選択回路３０９にそれぞれ出力されるＭＳ信号とＭＣ信号とは、折畳み型携帯電話機の使用状態によって制御される信号で、携帯電話機を開いた状態では、ＭＳ信号及びＭＣ信号はＬレベル（以下、Ｌと表記する）となり、メイン液晶１０１での画像表示がなされる。また、携帯電話機を閉じた状態では、ＭＳ信号及びＭＣ信号はＨレベル（以下、Ｈと表記する）となり、サブ液晶１０２での画像表示がなされる。また、携帯電話機を開いた状態でメイン液晶１０１とサブ液晶１０２の両方を同時に表示することも可能である。ＭＳ信号とＭＣ信号はＬ→Ｈ、Ｈ→Ｌに切り換わるタイミングが若干異なり、ＭＣ信号はＭＳ信号に比べて１ＶＣＬＫ分遅れて変化する。
【００４２】
また、表示制御回路１０５ａから第１液晶フレームメモリ３１１及び第２液晶フレームメモリ３１２に出力されるリード／ライト信号（ＲＷ信号）は、第１液晶フレームメモリ３１１及び第２液晶フレームメモリ３１２にＣＰＵ１０６から転送される画像データをアドレス制御信号（ＡＤＣ信号）の情報（ＸＹ座標）に従って書込むか、あるいは第１液晶フレームメモリ３１１及び第２液晶フレームメモリ３１２に保持されている画像データをアドレス制御信号（ＡＤＣ信号）の情報（ＸＹ座標）に従ってＣＰＵ１０６側に読み出すかを制御する信号である。
ＤｏからＤｎは、表示制御回路１０５ａからフレームメモリ３１１，３１２に出力される画像データである。
【００４３】
第１選択回路３０２は、ＭＳ信号がＬの時に、スイッチＳＷ１Ａがオン、スイッチＳＷ１Ｂがオフし、第１液晶フレームメモリ３１１の画像データは、ラッチ信号（ＬＡＴ１）に同期してラインメモリ機能をもつ第１データラッチ回路３０３に保持される。ＭＳ信号がＨの時には、スイッチＳＷ１Ｂがオン、スイッチＳＷ１Ａがオフし、第２液晶フレームメモリ３１２の画像データは、ラッチ信号（ＬＡＴ１）に同期して第１データラッチ回路３０３に保持される。ここに、第１選択回路３０２のスイッチＳＷ１ＡとスイッチＳＷ１Ｂとが、メイン液晶１０１とサブ液晶１０２を切替えるように制御される第５スイッチ手段と第６スイッチ手段とを構成する。
【００４４】
次、表示制御回路１０５ａから第２データラッチ回路３０４にラッチ信号（ＬＡＴ２）が入力されると、第１データラッチ回路３０３に保持されていた画像データは、第２データラッチ回路３０４に転送され、次のラッチ信号（ＬＡＴ２）信号が入力されるまで（通常１水平期間）保持される。この時、第１データラッチ回路３０３に保持されていたデータは、表示制御回路１０５ａから第２データラッチ回路３０４に入力する極性信号（ＰＯＬ）に応じて正転または反転されて第２データラッチ回路３０４に保持される。ここに、第１データラッチ回路３０３及び第２データラッチ回路３０４によりラインメモリ手段が構成される。
【００４５】
第２データラッチ回路３０４の画像データは、デコーダ回路３０６に転送され、階調電圧選択回路３０７で画像データに応じた階調電圧を選択し出力回路３０８で増幅して液晶表示装置のデータ線ＤＡｎ，ＤＢｎを駆動する。
【００４６】
一般に、第２データラッチ回路３０４までの電源電圧は３Ｖ以下で動作する。
しかし、液晶の駆動電圧は４〜５Ｖ程度であるため、電圧を変換するレベルシフト回路３０５を備える。液晶駆動電圧と駆動回路のロジック電圧が同じであればレベルシフト回路３０５は不要である。
【００４７】
第２選択回路３０９は、表示制御回路１０５ａから入力するＭＣ信号がＬの時に、第１スイッチＳＷ２Ａがオン、第２スイッチＳＷ２Ｂがオフし、データ線駆動回路１０３ａはメイン液晶１０１のデータ線ＤＡｎのみを駆動する。また、第２選択回路３０９は、ＭＣ信号がＨの時に、第２スイッチＳＷ２Ｂがオン、第１スイッチＳＷ２Ａがオフし、データ線駆動回路１０３ａはサブ液晶１０２のデータ線ＤＢｎのみを駆動する。
【００４８】
このように、第１選択回路３０２と第２選択回路３０９を表示制御回路１０５ａで制御することにより、メイン液晶１０１のデータ線ＤＡｎとサブ液晶１０２のデータ線ＤＢｎを１つのデータ線駆動回路１０３ａで共用して駆動することができる。
【００４９】
次に、走査線駆動回路１０４について図４を用いて詳細に説明する。走査駆動回路１０４は図４に示すように、シフトレジスタ回路４０１，ロジック回路４０２，レベルシフト回路４０３，出力回路４０４及び第３選択回路４０５から構成される。
【００５０】
第３選択回路４０５は、メイン液晶１０１の走査線の本数に対応する個数の第３スイッチＳＷ３Ａと、サブ液晶１０２の走査線の本数に対応する個数の第４スイッチＳＷ３Ｂとを備え、メイン液晶１０１の各走査線に接続する接続端子ＧＡｎ（ｎ：１，２，３・・・，１７６）と該接続端子に対応する出力回路４０４の端子とを第３スイッチＳＷ３Ａを介して接続し、サブ液晶１０２の走査線に接続する接続端子ＧＢｎ（ｎ：１，２，３・・・，９６）と該接続端子に対応する出力回路４０４の端子とを第４スイッチ群ＳＷ３Ｂを介して接続する。ここに、第３選択回路４０５の第３スイッチＳＷ３Ａと第４ＳＷ３Ｂとは、メイン液晶１０１とサブ液晶１０２を切替えるように制御される第３スイッチ手段と第４スイッチ手段を構成する。
【００５１】
第３選択回路４０５は、表示制御回路１０５ａから入力するＭＣ信号がＬの時に、第３スイッチＳＷ３Ａをオン、第４スイッチＳＷ３Ｂをオフし、メイン液晶１０１の走査線のみを駆動する。また、第３選択回路４０５は、ＭＣ信号がＨの時に、第４スイッチＳＷ３Ｂをオン、第３スイッチＳＷ３Ａをオフし、サブ液晶１０２だけの走査線のみを駆動する。
【００５２】
このように、第３選択回路４０５を制御することにより、メイン液晶１０１の走査線とサブ液晶１０２の走査線とを１つの走査線駆動回路１０４で共用することができる。
【００５３】
図９は、図４に示す走査線駆動回路１０４の出力回路以降の詳細を示す図である。図９に示すように出力回路４０４には、メイン液晶１０１，サブ液晶１０２の走査線の本数に対応する個数の出力回路９０１が含まれ、選択回路４０５には、各出力回路９０１に対応させて第３スイッチＳＷ３Ａと第４スイッチＳＷ３Ｂとが設けられ、メイン液晶１０１の各走査線に接続する接続端子ＧＡｎ（ｎ：１，２，３・・・，１７６）と該接続端子に対応する出力回路９０１の端子とを第３スイッチＳＷ３Ａを介して接続し、サブ液晶１０２の走査線に接続する接続端子ＧＢｎ（ｎ：１，２，３・・・，９６）と該接続端子に対応する出力回路９０１の端子とを第４スイッチ群ＳＷ３Ｂを介して接続する。
【００５４】
さらに図１０に示すように、走査線駆動回路１０４は、出力回路９０１の出力側に、非表示の液晶（１０１，１０２、表示装置）の走査線をオフレベルに固定する回路を備えている。この回路は、スイッチＳＷ３ＡとスイッチＳＷ３ＢとにスイッチＳＷ３ＣとスイッチＳＷ３Ｄとの一端が並列に接続され、スイッチＳＷ３ＣとスイッチＳＷ３Ｄの他端には、非表示の液晶（１０１，１０２）の走査線（特に、ＴＦＴ素子）をオフレベルに固定する電圧ＶＣＯＦＦが印加される。したがって、スイッチＳＷ３Ｃをオンすることにより、液晶（ＴＦＴ素子）にオフレベルの電圧が印加され、画像表示していない液晶の走査線がノイズなどで誤動作しないようになる。
【００５５】
メイン液晶１０１の走査線を駆動する時は、スイッチＳＷ３Ａをオンし出力回路で駆動するが、サブ液晶１０２の走査線は不定状態であるとノイズに対して誤動作するので、同時にスイッチＳＷ３Ｄをオンさせてサブ液晶１０２の走査線をオフレベル（ＶＧＯＦＦ）にする。サブ液晶１０２の走査線を駆動する時は、スイッチＳＷ３Ｂをオンして出力回路で駆動し、同時にスイッチＳＷ３Ｃをオンし、メイン液晶１０１の走査線をオフレベル（ＶＧＯＦＦ）にする。なお、図１０では、メイン液晶１０１の走査線を駆動する時のスイッチ状態を示している。
【００５６】
次に、タイミングチャートを用いてさらに詳細に動作を説明する。図１４は、メイン液晶１０１だけを駆動する場合の走査線駆動のタイミングチャートである。
【００５７】
図１４において、表示制御回路から出力されるＳＤ信号は、メイン液晶１０１とサブ液晶１０２とのいずれか一方だけを表示するか、両方同時に表示するかを制御する信号であり、Ｌの時には、メイン液晶１０１とサブ液晶１０２とのどちらか一方に画像を表示する。Ｈの時には、メイン液晶１０１とサブ液晶１０２の両方同時に画像表示する。ＭＳ信号及びＭＣ信号は、メイン液晶１０１かサブ液晶１０２のどちらを駆動するかを制御する信号で、Ｌの時には、メイン液晶１０１を駆動し、Ｈの時にはサブ液晶１０２を駆動する。
【００５８】
メイン液晶１０１のみを駆動するには、表示制御回路１０５ａからの信号はＳＤ＝Ｌ，ＭＳ＝Ｌ，ＭＣ＝Ｌにする。この時、データ線駆動回路１０３ａの第２選択回路３０９のスイッチＳＷ２Ａがオンし、スイッチＳＷ２Ｂがオフし、走査線駆動回路１０４の第３選択回路４０５のスッチＳＷ３Ａ，ＳＷ３Ｄがそれぞれオンし、スイッチＳＷ３Ｂ，ＳＷ３Ｃがそれぞれオフする。これにより、サブ液晶１０２のデータ線１１４は、ハイインピーダンス（Ｈｉ−Ｚ）状態となり、走査線１１２は停止状態となり、メイン液晶１０１のデータ線及び走査線のみを駆動することができる。また、メイン液晶１０１の共通電極１１９は動作し、サブ液晶１０２の共通電極１１８は停止している。
【００５９】
図１５は、サブ液晶１０２だけを駆動する場合の走査線駆動のタイミングチャートである。表示制御回路１０５ａからの信号はＳＤ＝Ｌ，ＭＳ＝Ｈ，ＭＣ＝Ｈにする。データ線駆動回路１０３の第２選択回路３０９のスイッチＳＷ２Ｂがオンし、スイッチＳＷ２Ａがオフし、走査線駆動回路１０４の第３選択回路４０５のスイッチＳＷ３Ｂ，ＳＷ３Ｃがそれぞれオンし、スイッチＳＷ３Ａ，ＳＷ３Ｄがそれぞれオフする。これにより、メイン液晶１０１のデータ線１１３は、ハイインピーダンス（ＨｉーＺ）状態となり、走査線１１１は停止状態となり、サブ液晶１０２のデータ線１１４及び走査線１１２のみを駆動することができる。また、サブ液晶１０２の共通電極１１８は動作し、メイン液晶１０１の共通電極１１９は停止している。
【００６０】
図６は、画素数の異なるメイン液晶とサブ液晶のフレーム周波数を所定値にするための複数の分周回路を表示制御回路に備えた構成を示すブロック図である。
携帯型電子機器、例えば携帯電話機に備えるメイン液晶１０１とサブ液晶１０２とはサイズが違うために画素数が異なっている。しかしながら、液晶の画素数が異なる場合でも最適な周波数で低消費電力に液晶を駆動することが望ましいものである。そこで、メイン液晶１０１とサブ液晶１０２では、画素数が異なってもフレーム周波数が同じになるように垂直周期（１ＶＣＬＫ）及び水平周期（１ＨＣＬＫ）が異なるようにする。この場合、表示制御回路１０５には、区別するために符号１０５ｄを付してある。
【００６１】
図６に示すように、発振回路６０８，この発振回路６０８からの周波数信号を分周する複数の分周回路６０１，６０２，６０３，６０４，６０４，６０５，６０６、周波数制御回路６０７を表示制御回路１０５ｄに付加している。分周回路６０１は、メイン液晶１０１のみ駆動時の垂直周期、分周回路６０２は、サブ液晶１０２のみ駆動時の垂直周期、分周回路６０３は、メイン液晶１０１とサブ液晶１０２の両方を順次駆動する時の垂直周期、分周回路６０４は、メイン液晶１０１のみ駆動時の水平周期、分周回路６０５は、サブ液晶１０２のみ駆動時の水平周期、分周回路６０６は、メイン液晶１０１とサブ液晶１０２の両方を順次駆動する時の水平周期を分周するものであり、表示制御回路１０５ｄの周波数制御回路６０７に入力するＳＤ信号及びＭＳ信号によって制御される。
【００６２】
表示制御回路１０５ｄからの信号、ＳＤ＝Ｌ，ＭＳ＝Ｌの時は、スイッチＳＷ４ＡおよびＳＷ５Ａがそれぞれオンし、ＳＤ＝Ｌ，ＭＳ＝Ｈの時は、スイッチＳＷ４ＢおよびＳＷ５Ｂがそれぞれオンし、ＳＤ＝Ｈの時は、スイッチＳＷ４ＣおよびＳＷ５Ｃがそれぞれオンする。例えば、フレーム周波数が６０Ｈｚであれば、メイン液晶１０１の１ＶＣＬＫは凡そ６０×１７７＝１０．６２ＫＨｚ、サブ液晶１０２の１ＶＣＬＫは凡そ６０×９７＝５．８２ＫＨｚとなり、周波数を適切な値にすることにより、画素数が異なる場合でも最適な周波数で低消費電力に液晶を駆動することができる。メイン液晶１０１とサブ液晶１０２の両方を表示する場合、１ＶＣＬＫは６０×（１７７＋９７）＝１６．４４ＫＨｚとすればよい。
【００６３】
図１６は、メイン液晶１０１からサブ液晶１０２に表示が切り換わる時（折畳み型携帯電話機を閉じる時）のタイミングチャートである。携帯電話機を閉じると、表示制御回路１０５ｂからのＭＳ信号がまずＬ→Ｈになる。これに同期して表示制御回路１０５ｂからのＲＥＳ信号，ＷＨ信号，ＯＥ２信号が１／２ＶＣＬＫ期間Ｈとなる。ＯＥ２信号は、メイン液晶１０１の全走査線をＨレベルにしメイン液晶１０１のＴＦＴ素子を全てオン状態にし、ＷＨ信号で画像データによらず一斉にメイン液晶１０１の全データ線をＧＮＤレベルにし、メイン液晶１０１の全液晶素子の電荷量を０にすることにより、メイン液晶１０１の表示画面を全白（ノーマリホワイト液晶の時）にする。ＭＳ信号がＬ→Ｈに切り換って１ＶＣＬＫ後、ＭＣ信号がＬ→Ｈに切り換わり、第２選択回路３０９のスイッチＳＷ２Ｂ，第３選択回路４０５のスイッチＳＷ３Ｂがオンして、サブ液晶１０２のデータ線及び走査線を駆動する。
【００６４】
図１７は、サブ液晶からメイン液晶に表示が切り換わる時（携帯電話機を開く時）のタイミングチャートである。携帯電話機を開くと、ＭＳ信号がまずＨ→Ｌになる。これに同期してＲＥＳ信号、ＷＨ信号、ＯＥ２信号が１／２ＶＣＬＫ期間Ｈとなる。ＯＥ２信号は、サブ液晶の全走査線をＨレベルにしメイン液晶のＴＦＴ素子を全てオン状態にし、ＷＨ信号で画像データによらず一斉にサブ液晶の全データ線をＧＮＤレベルにし、サブ液晶の全液晶素子の電荷量を０にすることにより、サブ液晶の表示画面を全白（ノーマリホワイト液晶の時）にする。ＭＳ信号がＨ→Ｌに切り換って１ＶＣＬＫ後、ＭＣ信号がＨ→Ｌに切り換わり、第２選択回路のスイッチＳＷ２Ａ，第３選択回路のスイッチＳＷ３Ａがオンして、メイン液晶を駆動する。
【００６５】
携帯電話機などに使用される液晶表示装置は、液晶が容量の機能を有しているために残像が残る場合があり、反射型や半透過型液晶表示装置では、表示装置を切換える瞬間はＴＦＴ素子をオン状態にして非表示レベルの電圧にする必要がある。
【００６６】
図１８は、メイン液晶１０１とサブ液晶１０２の両方を表示する場合のタイミングチャートである。メイン液晶１０１とサブ液晶１０２の両方を順次駆動する場合、ＳＤ信号をＨにし、図１８に示すようにメイン液晶１０１とサブ液晶１０２の両方を駆動することができる。
【００６７】
図１１は、２つの液晶表示装置（メイン液晶とサブ液晶）の実装例を示す図である。図１１に示すように、半導体集積回路１１０１をメイン液晶１０１のガラス基板１１０４に接続し、メイン液晶１０１とサブ液晶１０２をフレキシブル基板１１０６で接続する。コネクタ１１０３はＣＰＵ（１０６）に接続する。図示しないが、半導体集積回路１１０１をサブ液晶１０２のガラス基板１１０５に接続してもよい。
【００６８】
また、表示制御回路１０５，データ線駆動回路１０３，走査線駆動回路１０４，電源回路１０７は必ずしも同一集積回路上に製造する必要はなく、それぞれ別々に製造し、ガラス基板またはフレキシブル基板上に接続してもよい。さらに走査線駆動回路１０４，データ線駆動回路１０３，電源回路１０７はガラス基板上に製造してもよい。
【００６９】
図１２は、表示制御回路１０５，データ線駆動回路１０３，走査線駆動回路１０４，表示装置の電源回路１０７を半導体集積回路で製造した場合のチップレイアウト例を示している。メイン液晶１０１のデータ線接続端子ＤＡ１〜ＤＡ４３２とサブ液晶１０２のデータ線接続端子ＤＢ１〜ＤＢ１９２はチップの対面に配置し、同様に、メイン液晶１０１の走査線接続端子ＧＡ１〜ＧＡ１７６とサブ液晶１０２の走査線接続端子ＧＢ１〜ＧＢ９６も対面に配置し、サブ液晶１０２のデータ線接続端子ＤＢ１〜ＤＢ１９２と走査線接続端子ＧＢ１〜ＧＢ９６の間には他の信号端子などが配置されないように隣接した場所に配置する。これは、フレキシブル基板上でＣＰＵからの信号や部品などの配線とサブ液晶のデータ線および走査線の配線が交差しないようにするためである。また、ガラス基板上の配線は、半導体集積回路で使用する配線材料（アルミや銅）より抵抗値が高い配線材料（クロムなど）を使用する場合があり、配線抵抗が高いと表示むらが発生することがあるため、できるだけガラス基板上の配線長を短くし抵抗値を下げる必要がある。
【００７０】
【第２の実施形態】
図２は、本発明の第２の実施形態を示すブロック図である。図２に示す実施形態では、メイン液晶１０１とサブ液晶１０２のデータ線駆動回路１０３を共用している。実施形態１との違いは、走査線駆動回路２０１，２０２を共用していない点にある。データ線の駆動方法と周波数の切換方法は実施形態１と同じである。
【００７１】
図２に示す実施形態では、携帯型電子機器の使用状態に対応してメイン液晶及びサブ液晶（表示装置）を切替えるように第２選択回路３０９の第１スイッチＳＷ２Ａ（第１スイッチ手段）と第２スイッチＳＷ２Ｂ（第２スイッチ手段）とを制御し、メイン液晶１０１のデータ線とサブ液晶１０２のデータ線との駆動に第１駆動手段としてのデータ線駆動回路１０３を共用し、電子機器の使用状態に対応して選択的に切替えられ、メイン液晶の走査線とサブ液晶の走査線とを独立に駆動する第３駆動手段及び第４駆動手段として、２つの走査線駆動回路２０２と走査線駆動回路２０３を用い、前記第１スイッチ手段の一端をメイン液晶のデータ線に接続し、前記第２スイッチ手段の一端をサブ液晶のデータ線に接続し、前記第１スイッチ手段の他端と前記第２スイッチ手段の他端とを短絡して前記第１駆動手段に接続する構成を採っている。
【００７２】
また、図１及び図２に示す実施形態では、データ線駆動回路をメイン液晶１０１とサブ液晶１０２との駆動に共用したが、これに限られるものではなく、走査線駆動回路をメイン液晶１０１とサブ液晶１０２との走査線の駆動に共用するようにしてもよいものである。この場合の実施形態では、携帯型電子機器の使用状態に対応して使用される第１表示装置及び第２表示装置として例えばメイン液晶１０１及びサブ液晶を用い、前記使用状態に対応して前記表示装置を切替えるように制御される第３スイッチ手段及び第４スイッチ手段として、例えば第２選択回路３０９の第１スイッチＳＷ２Ａ（第１スイッチ手段）と第２スイッチＳＷ２Ｂ（第２スイッチ手段）とに相当する２つのスイッチ手段（第３スイッチ手段，第４スイッチ手段）を設け、１つの走査線駆動回路１０４，２０１又は２０２（第２駆動手段）を前記第１表示装置の走査線と前記第２表示装置の走査線との駆動に共用し、２つのデータ線駆動回路１０３（第５駆動手段，第６駆動手段）により前記第１表示装置のデータ線と前記第２表示装置のデータとを独立に駆動し、前記第３スイッチ手段の一端を前記第１表示装置の走査線に接続し、前記第４スイッチ手段の一端を前記第２表示装置の走査線に接続し、前記第３スイッチ手段の他端と前記４スイッチ手段の他端とを短絡して前記第２駆動手段に接続するという構成を採ればよい。
【００７３】
【第３の実施形態】
図５に、実施形態１で説明したデータ線駆動回路１０３ａとは別のデータ線駆動回路１０３ｂを示す。図５に示す実施形態は、ＣＰＵ側にフレームメモリを備える点に第１の実施形態との違いがあり、データ線駆動回路にフレームメモリ及び第１選択回路がなく、代わりに画像データの転送用のシフトレジスタ回路５０１とデータバッファ回路５０３とを備えている。
【００７４】
図３に示す第１の実施形態では、画像データが、データ線駆動回路に内蔵されたフレームメモリ及び第１選択回路３０２を介して、第１データラッチ回路に転送していたが、図５に示す第３の実施形態では、フレームメモリはＣＰＵ側に備えているため、ＣＰＵからの指令に基いて表示制御回路１０５ｃからのＳＴＨ信号によりシフトレジスタ回路５０１を制御しつつ表示制御回路１０５ｃから順次出力されるＨＣＬＫ信号に同期して画像データを第１データラッチ回路５０２に転送する。その他の動作については、実施形態１と同じなので説明を省略する。
【００７５】
【発明の効果】
以上説明したように請求項１に記載の発明は、第１使用状態と第２使用状態とに切替えて使用される携帯型電子機器において、前記使用状態に対応して用いられる少なくとも第１表示装置及び第２表示装置と、前記使用状態に対応して前記表示装置を切替えるように制御される第１スイッチ手段及び第２スイッチ手段と、前記第１表示装置のデータ線と前記第２表示装置のデータ線との駆動に共用される第１駆動手段と、前記第１表示装置の走査線と前記第２表示装置の走査線との駆動に共用される第２駆動手段と、前記使用状態に対応して前記表示装置を切替えるように制御される第３スイッチ手段及び第４スイッチ手段とを備え、前記第１スイッチ手段の一端を前記第１表示装置のデータ線に接続し、前記第２スイッチ手段の一端を前記第２表示装置のデータ線に接続し、前記第１スイッチ手段の他端と前記第２スイッチ手段の他端とを短絡して前記第１駆動手段に接続し、かつ、前記第３スイッチ手段の一端を前記第１表示装置の走査線に接続し、前記第４スイッチ手段の一端を前記第２表示装置の走査線に接続し、前記第３スイッチ手段の他端と前記第４スイッチ手段の他端とを短絡して前記第２駆動手段に接続するという構成を採っている。
【００７６】
したがって、駆動回路系の回路素子の個数を減少させることができ、駆動回路系の消費電力の省力化を実現することができる。さらに、駆動手段に接続される負荷容量を低減し、容量負荷による充放電電流の発生を低減することにより、携帯型電子機器の表示装置の低消費電力化が実現できる。
【００７７】
また、複数の表示装置を駆動する駆動手段を共用することにより、回路素子数の低減並びに外付け部品数の低減を実現して、安価な表示装置を提供することができる。共用しない場合に比べ、低減できる回路素子は、サブ液晶を高精細化しメイン液晶の画素数と同じとすれば、駆動系の回路素子数は約半分で済む。さらに、部品数を低減することにより、実装面積が小さく、かつ重量を軽くすることができるため、携帯型電子機器を小型化、軽量化できる。このように、低消費電力化、小型化、軽量化、安価を同時に実現できるという効果がある。
【００７８】
請求項１に記載の発明では、表示装置のデータ線及び走査線を駆動する双方の駆動手段を共用したが、これに限定されるものではなく、該表示装置のデータ線と走査線との少なくとも一方を駆動する駆動手段を共用するようにすればよい。
【００７９】
また、請求項４に記載の発明によれば、第１表示装置のフレームメモリと、第２表示装置のフレームメモリと、前記フレームメモリの画像データを保持するラインメモリ手段と、前記使用状態に対応して前記表示装置を切替えるように制御される第５スイッチ手段及び第６スイッチ手段とを備え、前記第５スイッチ手段の一端を前記第１表示装置のフレームメモリに接続し、前記第６スイッチ手段の一端を前記第２表示装置のフレームメモリに接続し、前記第５スイッチ手段の他端と前記第６スイッチ手段の他端とを前記ラインメモリ手段に接続するという構成を採っている。
【００８０】
この構成では、ＣＰＵ側に無理な負担を掛けることがないが、ＣＰＵ側の処理能力に余裕があれば、これらのフレームメモリをＣＰＵ側に備えるようにしてもよい。この場合には、フレームメモリが不要となるため、回路構成及び回路素子を軽減することができる。
【００８１】
請求項５に記載の発明は、画素数の異なる前記表示装置のフレーム周波数を所定値にするための複数の分周回路を備えるという構成を採っている。前記分周回路は、第１表示装置及び第２表示装置の垂直周期及び水平周期をフレーム周波数に対応して分周する回路構成とすることが望ましい。
【００８２】
したがって、請求項５に記載の発明によれば、２つの表示装置の画素数が異なる場合にもそれぞれの表示装置に最適な周波数で低消費電力で表示駆動することができる。
【００８３】
請求項６に記載の発明は、非表示の表示装置の走査線をオフレベルに固定する回路を備えるという構成を採り、非表示の表示装置の走査線をオフレベルに固定する。
【００８４】
液晶表示装置は、液晶が容量機能を有しているため残像が残る場合があるが、本発明では非表示装置の走査線をオフレベルに固定するため、表示装置の切替え瞬間時での残像の発生を抑制することができる。
【００８５】
請求項８に記載の発明は、第１表示装置と第２表示装置との画素数が異なり、画素数の少ない表示装置を表示駆動する際にデータ線駆動回路の一部を非活性状態にしている。したがって、無駄な電力を消費することがなく、携帯型電子機器に適用して最適なものである。
【００８６】
請求項９に記載の発明は、第１表示装置と第２表示装置との材料や構造が異なる場合に、第１表示装置の階調電圧と第２表示装置の階調電圧とを異なるようにすることにより、表示品質を向上させることができる。
【図面の簡単な説明】
【図１】本発明の第１の実施形態に係る液晶表示装置を示すブロック図である。
【図２】本発明の第２の実施形態に係る液晶表示装置を示すブロック図である。
【図３】本発明の第１及び第２の実施形態に使用するデータ線駆動回路を詳細に説明するブロック図である。
【図４】本発明の第１の実施形態に使用する走査線駆動回路を詳細に説明するブロック図である。
【図５】本発明の第１及び第２の実施形態に使用するデータ線駆動回路を詳細に説明するブロック図である。
【図６】本発明の第１および第２の実施形態に使用する発振周波数回路を詳細に説明するブロック図である。
【図７】本発明におけるデータ線駆動回路の出力回路部以降の構成を詳細に説明するブロック図である。
【図８】本発明におけるデータ線駆動回路の出力回路部を詳細に説明するブロック図である。
【図９】本発明における走査線駆動回路の出力回路部以降の構成を詳細に説明するブロック図である。
【図１１】本発明に係る液晶表示装置の実装例を示す図である。
【図１２】本発明における液晶表示装置の駆動回路を集積化した例を示す図である。
【図１３】折畳み型携帯電話機を示すものであり、（ａ）は携帯電話機を閉じた状態を示す図、（ｂ）は携帯電話機を開いた状態を示す図、（ｃ）はメイン液晶の使用状態を示す図、（ｄ）はサブ液晶の使用状態を示す図である。
【図１４】本発明においてメイン液晶のみを駆動する場合の走査線側のタイミングチャートである。
【図１５】本発明においてサブ液晶のみを駆動する場合の走査線側のタイミングチャートである。
【図１６】本発明において表示装置のメイン液晶からサブ液晶に切り換る時の走査線側のタイミングチャートである。
【図１７】本発明において表示装置のサブ液晶からメイン液晶に切り換る時の走査線側のタイミングチャートである。
【図１８】本発明において表示装置のメイン液晶とサブ液晶を順次駆動する走査線側のタイミングチャートである。
【図１９】従来例に係る走査線を共用した場合のブロック図である。
【図２０】従来例に係る複数の表示装置を駆動するためのブロック図である。
【符号の説明】
１０１　メイン液晶（第１表示装置）
１０２　サブ液晶（第２表示装置）
１０３　データ線駆動回路
１０４　走査線駆動回路
１０５　表示制御回路
３０３　第１データラッチ回路
３０４　第２データラッチ回路
３０９　第２選択回路
３１１　第１液晶フレームメモリ
３１２　第２液晶フレームメモリ
６０１〜６０６　分周回路
【図１】
2004126257.tif 000003
【図２】
2004126257.tif 000004
【図３】
2004126257.tif 000005
【図４】
2004126257.tif 000006
【図５】
2004126257.tif 000007
【図６】
2004126257.tif 000008
【図７】
2004126257.tif 000009
【図８】
2004126257.tif 000010
【図９】
2004126257.tif 000011
【図１０】
2004126257.tif 000012
【図１１】
2004126257.tif 000013
【図１２】
2004126257.tif 000014
【図１３】
2004126257.tif 000015
【図１４】
2004126257.tif 000016
【図１５】
2004126257.tif 000017
【図１６】
2004126257.tif 000018
【図１７】
2004126257.tif 000019
【図１８】
2004126257.tif 000020
【図１９】
2004126257.tif 000021
【図２０】
2004126257.tif 000022
【手続補正書】
【提出日】平成14年10月15日(2002.10.15)
【手続補正１】
【補正対象書類名】明細書
【補正対象項目名】図面の簡単な説明
【補正方法】変更
【補正の内容】
【図面の簡単な説明】
【図１】本発明の第１の実施形態に係る液晶表示装置を示すブロック図である。
【図２】本発明の第２の実施形態に係る液晶表示装置を示すブロック図である。
【図３】本発明の第１及び第２の実施形態に使用するデータ線駆動回路を詳細に説明するブロック図である。
【図４】本発明の第１の実施形態に使用する走査線駆動回路を詳細に説明するブロック図である。
【図５】本発明の第１及び第２の実施形態に使用するデータ線駆動回路を詳細に説明するブロック図である。
【図６】本発明の第１および第２の実施形態に使用する発振周波数回路を詳細に説明するブロック図である。
【図７】本発明におけるデータ線駆動回路の出力回路部以降の構成を詳細に説明するブロック図である。
【図８】本発明におけるデータ線駆動回路の出力回路部を詳細に説明するブロック図である。
【図９】本発明における走査線駆動回路の出力回路部以降の構成を詳細に説明するブロック図である。
【図１０】本発明における走査線駆動回路の出力回路部以降の構成を詳細に説明するブロック図である。
【図１１】本発明に係る液晶表示装置の実装例を示す図である。
【図１２】本発明における液晶表示装置の駆動回路を集積化した例を示す図である。
【図１３】折畳み型携帯電話機を示すものであり、（ａ）は携帯電話機を閉じた状態を示す図、（ｂ）は携帯電話機を開いた状態を示す図、（ｃ）はメイン液晶の使用状態を示す図、（ｄ）はサブ液晶の使用状態を示す図である。
【図１４】本発明においてメイン液晶のみを駆動する場合の走査線側のタイミングチャートである。
【図１５】本発明においてサブ液晶のみを駆動する場合の走査線側のタイミングチャートである。
【図１６】本発明において表示装置のメイン液晶からサブ液晶に切り換る時の走査線側のタイミングチャートである。
【図１７】本発明において表示装置のサブ液晶からメイン液晶に切り換る時の走査線側のタイミングチャートである。
【図１８】本発明において表示装置のメイン液晶とサブ液晶を順次駆動する走査線側のタイミングチャートである。
【図１９】従来例に係る走査線を共用した場合のブロック図である。
【図２０】従来例に係る複数の表示装置を駆動するためのブロック図である。
【符号の説明】
１０１　メイン液晶（第１表示装置）
１０２　サブ液晶（第２表示装置）
１０３　データ線駆動回路
１０４　走査線駆動回路
１０５　表示制御回路
３０３　第１データラッチ回路
３０４　第２データラッチ回路
３０９　第２選択回路
３１１　第１液晶フレームメモリ
３１２　第２液晶フレームメモリ
６０１〜６０６　分周回路